(57)【要約】【課題】端末装置等を携行していない閲覧者に対して適した情報を提供する。【解決手段】サイネージシステムは、表示した情報を１又は複数の人が視認することにより、当該情報を共有するように表示装置が配置され、指定されるコンテンツを前記表示装置に表示する情報に追加するサイネージシステムであって、前記表示装置を閲覧可能な範囲内に位置する対象者であって、情報の配信先である対象者を特定する対象者特定部と、前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加する制御部とを備える。【選択図】図１
2018156195.tif 000002
【特許請求の範囲】
【請求項１】
表示した情報を１又は複数の人が視認することにより、当該情報を共有するように表示装置が配置され、指定されるコンテンツを前記表示装置に表示する情報に追加するサイネージシステムであって、
少なくとも１つの前記表示装置を閲覧可能な範囲内に位置する対象者であって、情報の配信先である対象者を特定する対象者特定部と、
前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加する制御部と
を備えるサイネージシステム。
【請求項２】
前記制御部は、
前記対象者が複数であれば、前記複数の対象者それぞれの属性情報に基づいて前記コンテンツ選択条件を決定し、前記特定された対象者に関連するコンテンツを、前記特定された対象者の属性情報と前記決定したコンテンツ選択条件とに基づいて選択する、
請求項１に記載のサイネージシステム。
【請求項３】
前記複数の対象者のそれぞれは、前記属性情報により識別可能な組織であって、互いに異なる組織に所属しており、
前記制御部は、
前記複数の対象者それぞれの属性情報と、前記複数の対象者がそれぞれ所属する組織間の関連性を示す情報とに基づいて前記コンテンツ選択条件を決定し、前記特定された対象者に関連するコンテンツを、前記特定された対象者の属性情報と前記決定したコンテンツ選択条件とに基づいて選択する、
請求項１又は請求項２に記載のサイネージシステム。
【請求項４】
前記コンテンツには、前記コンテンツに対応するラベル情報が付与されており、前記ラベル情報には、前記コンテンツの登録者に関する情報と、前記コンテンツの提供先に関する情報とが含まれる、
請求項１から請求項３の何れか１項に記載のサイネージシステム。
【請求項５】
前記ラベル情報には、前記コンテンツの提供の目的を示す情報が含まれており、
前記制御部は、前記表示装置に前記コンテンツを表示する時間比率を、前記ラベル情報に基づいて決定する、
請求項４に記載のサイネージシステム。
【請求項６】
表示した情報を１又は複数の人が視認することにより、当該情報を共有するように表示装置が配置され、指定されるコンテンツを前記表示装置に表示する情報に追加するサイネージシステムの制御方法であって、
少なくとも１つの前記表示装置を閲覧可能な範囲内に位置する対象者であって、情報の配信先である対象者を特定するステップと、
前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加するステップと
を含むサイネージシステムの制御方法。
【請求項７】
表示した情報を１又は複数の人が視認することにより、当該情報を共有するように表示装置が配置され、指定されるコンテンツを前記表示装置に表示する情報に追加するサイネージシステムのコンピュータに、
少なくとも１つの前記表示装置を閲覧可能な範囲内に位置する対象者であって、情報の配信先である対象者を特定するステップと、
前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加するステップと
を実行させるためのプログラム。
【発明の詳細な説明】
【技術分野】
【０００１】
本発明は、サイネージシステム、制御方法、及びプログラムに関する。
【背景技術】
【０００２】
１又は複数の表示装置を所定の位置に配備しておき、不特定多数の閲覧者に対し、一斉で情報を提供するサイネージシステムが知られている。このようなサイネージシステムであれば、閲覧者は、自ら情報を取捨選択しなくても、サイネージシステムからの情報を取得することができる。
【０００３】
また、近年では、閲覧者を特定して閲覧者に適した情報を提供するサイネージシステムが知られている。このようなサイネージシステムは、表示装置に近接する閲覧者を特定することにより、閲覧者の属性に合わせたコンテンツを、最寄りの表示装置に提供することを可能にする（例えば、特許文献１、特許文献２参照）。
【先行技術文献】
【特許文献】
【０００４】
【特許文献１】特開２００９−１６３７１５号公報
【特許文献２】特開２０１４−１７５８１号公報
【発明の概要】
【発明が解決しようとする課題】
【０００５】
しかしながら、上記の特許文献によれば、閲覧者が端末装置等を携帯し、その端末装置等を操作することで、表示装置に表示させる情報を決定することが開示されているに過ぎない。このようなサイネージシステムでは、端末装置等を携行していない閲覧者に適した情報を提供することが困難である。
【０００６】
本発明が解決しようとする課題は、端末装置等を携行していない閲覧者に対して適した情報を提供するサイネージシステム、制御方法、及びプログラムを提供することにある。
【課題を解決するための手段】
【０００７】
（１）本発明の一態様のサイネージシステムは、表示した情報を１又は複数の人が視認することにより、当該情報を共有するように表示装置が配置され、指定されるコンテンツを前記表示装置に表示する情報に追加するサイネージシステムであって、少なくとも１つの前記表示装置を閲覧可能な範囲内に位置する対象者であって、情報の配信先である対象者を特定する対象者特定部と、前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加する制御部とを備えるものである。
【０００８】
（２）また、上記のサイネージシステムにおいて、前記制御部は、前記対象者が複数であれば、前記複数の対象者それぞれの属性情報に基づいて前記コンテンツ選択条件を決定し、前記特定された対象者に関連するコンテンツを、前記特定された対象者の属性情報と前記決定したコンテンツ選択条件とに基づいて選択する。
【０００９】
（３）また、上記のサイネージシステムにおいて、前記複数の対象者のそれぞれは、前記属性情報により識別可能な組織であって、互いに異なる組織に所属しており、前記制御部は、前記複数の対象者それぞれの属性情報と、前記複数の対象者がそれぞれ所属する組織間の関連性を示す情報とに基づいて前記コンテンツ選択条件を決定し、前記特定された対象者に関連するコンテンツを、前記特定された対象者の属性情報と前記決定したコンテンツ選択条件とに基づいて選択する。
【００１０】
（４）また、上記のサイネージシステムにおいて、前記コンテンツには、前記コンテンツに対応するラベル情報が付与されており、前記ラベル情報には、前記コンテンツの登録者に関する情報と、前記コンテンツの提供先に関する情報とが含まれる。
【００１１】
（５）また、上記のサイネージシステムにおいて、前記ラベル情報には、前記コンテンツの提供の目的を示す情報が含まれており、前記制御部は、前記表示装置に前記コンテンツを表示する時間比率を、前記ラベル情報に基づいて決定する。
【００１２】
（６）また、本発明の一態様のサイネージシステムの制御方法は、表示した情報を１又は複数の人が視認することにより、当該情報を共有するように表示装置が配置され、指定されるコンテンツを前記表示装置に表示する情報に追加するサイネージシステムの制御方法であって、少なくとも１つの前記表示装置を閲覧可能な範囲内に位置する対象者であって、情報の配信先である対象者を特定するステップと、前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加するステップとを含む方法である。
【００１３】
（７）また、本発明の一態様のプログラムは、表示した情報を１又は複数の人が視認することにより、当該情報を共有するように表示装置が配置され、指定されるコンテンツを前記表示装置に表示する情報に追加するサイネージシステムのコンピュータに、少なくとも１つの前記表示装置を閲覧可能な範囲内に位置する対象者であって、情報の配信先である対象者を特定するステップと、前記特定された対象者に関連するコンテンツを、前記特定された対象者の属性情報と、前記属性情報に基づいて決定されるコンテンツ選択条件とに基づいて選択し、前記表示装置に表示する情報に、前記選択したコンテンツを追加するステップとを実行させるためのプログラムである。
【発明の効果】
【００１４】
本発明によれば、端末装置等を携行していない閲覧者に対して適した情報を提供するサイネージシステム、制御方法、及びプログラムを提供できる。
【図面の簡単な説明】
【００１５】
【図１】本発明の実施形態に係るサイネージシステムの概要を説明するための図である。
【図２】実施形態に係るサイネージシステムの構成図である。
【図３】実施形態の利用者ＤＢの一例を説明するための図である。
【図４】実施形態のコンテンツＤＢの一例を説明するための図である。
【図５】実施形態の配信情報ＤＢの一例を説明するための図である。
【図６】実施形態の組織間情報ＤＢの一例を説明するための図である。
【図７】実施形態のサーバ装置が配信するコンテンツを追加する処理の手順を示すフローチャートである。
【図８】実施形態における投稿原稿の保存要求に対してサーバ装置４０が実施するデータの格納処理の流れを示すフローチャートである。
【図９】実施形態の投稿原稿の保存要求に対してサーバ装置が実施する処理を説明するための図である。
【発明を実施するための形態】
【００１６】
以下、本発明の実施形態のサイネージシステム、情報共有方法、及びプログラムについて、添付図面を参照して説明する。
【００１７】
（第１の実施形態）
図１は、本発明の実施形態に係るサイネージシステムの概要を説明するための図である。図２は、本発明の実施形態に係るサイネージシステムの構成図である。
【００１８】
［サイネージシステム］
サイネージシステム１は、サイネージ端末１０（表示装置）と、撮像装置２０と、位置検出装置３０（位置検出部）と、サーバ装置４０と、端末装置５０とを含む。サイネージ端末１０と、位置検出装置３０のそれぞれは、１又は複数の何れであってもよい。サイネージ端末１０−１、１０−２は、サイネージ端末１０の一例であり、その個数に制限はない。サイネージ端末１０−１とサイネージ端末１０−２を区別なく説明する場合には、単に、サイネージ端末１０という。なお、撮像装置２０−１、２０−２についても、サイネージ端末１０と同様である。
【００１９】
サイネージ端末１０と、撮像装置２０と、位置検出装置３０と、サーバ装置４０と、端末装置５０とは、ネットワークを介して接続されている。位置検出装置３０はネットワークを介してサーバ装置４０と接続される。
【００２０】
サイネージ端末１０は、図２に示すように通信部１１と、記憶部１２と、制御部１３と、表示部１４と、を備える。サイネージ端末１０は、通信部１１と、記憶部１２と、制御部１３と、表示部１４とが、１つの筐体内に設けられていてもよく、その一部が異なる筐体に設けられていてもよい。例えば、サイネージ端末１０の通信部１１と、記憶部１２と、制御部１３とが、ＣＰＵ（Central Processing Unit）、ＲＡＭ（Random Access Memory）、ＨＤＤ（hard disk drive）などを含むコンピュータとして構成されていてもよい。
【００２１】
通信部１１は、ネットワークに接続され、制御部１３の制御によりサーバ装置４０と通信する。
【００２２】
記憶部１２は、表示部１４に表示する情報等の他、制御部１３を機能させるためのプログラム等を格納する。
【００２３】
制御部１３は、通信部１１を制御してサーバ装置４０と通信する。制御部１３は、サーバ装置４０から得たコンテンツ等の情報を、表示部１４に表示するように制御する。制御部１３は、サーバ装置４０から得た情報を、所定の順に切り替えて表示部１４に表示するように制御してもよい。
【００２４】
表示部１４は、例えば、比較的大画面の液晶ディスプレイなどを含む。本実施形態のサイネージ端末１０は、視聴者が直接触れて操作するための機能を有さないものであってよい。表示部１４には、例えば、制御部１３の制御により、複数のコンテンツが順次時系列で切替わりながら表示される。例えば、各コンテンツは、一定時間おきに順に遷移表示され、それが繰り返されて表示される。
【００２５】
例えば、本実施形態のサイネージ端末１０には、コンテンツと、その一部に識別情報とが表示されてもよい。識別情報は、文字、数字、図形、絵柄などの種類を含み、１又は複数種類の組み合わせとして構成されていてもよい。この識別情報は、コンテンツとともに順次時系列で切替わり表示されてもよく、コンテンツの切替わりとは独立して表示されてもよい。
【００２６】
サイネージシステム１は、この識別情報を、表示された識別情報に対応するコンテンツを識別するための情報として利用してもよい。さらに、サイネージシステム１は、この識別情報を、当該コンテンツが表示されたサイネージ端末１０が存在すること、識別情報が表示されたサイネージ端末１０の近傍に視聴者がいること、表示された識別情報を視聴者が読み取ったこと、等を検証するための情報として利用してもよい。
【００２７】
撮像装置２０は、サイネージ端末１０を閲覧可能な範囲を撮像して、その画像を定期的に位置検出装置３０宛に送信する。撮像装置２０が据えられた位置を基準とし、撮像範囲ＳＡ（ＳＡ−１、ＳＡ−２等）内であれば、その範囲内に位置する閲覧者を識別可能な画像で撮像可能であると仮定する。
【００２８】
撮像装置２０は、例えば、撮像範囲ＳＡごとに１台以上設けられており、その個数は任意である。なお、複数のサイネージ端末１０が近接して設けられている場合には、撮像装置２０を兼用することを制限することはない。なお、撮像装置２０は、ネットワークに接続されて、ネットワークを介して位置検出装置３０に画像を送信してもよく、直接的に位置検出装置３０に接続されていてもよい。
【００２９】
位置検出装置３０は、通信部３１と、記憶部３２と、制御部３３と、画像処理部３４と、識別処理部３５と、を備える。例えば、位置検出装置３０は、所謂コンピュータである。
【００３０】
通信部３１は、無線通信回線によりネットワークに接続され、制御部３３の制御によりサーバ装置４０と通信する。例えば、通信部３１は、撮像装置２０からの画像を取得してもよい。
【００３１】
記憶部３２は、撮像装置２０から受信した画像、画像処理部３４により生成された情報、識別処理部３４による識別結果、等の他、通信部３１、制御部３３、画像処理部３４、識別処理部３５等を機能させるためのプログラム（ＯＳ（operating system）、アプリケーションソフト）等を格納する。
【００３２】
制御部３３は、撮像装置２０から取得した画像の解析結果を通知するために、通信部３１を制御してサーバ装置４０と通信する。
【００３３】
画像処理部３４は、撮像装置２０から取得した画像に基づいて、画像の被写体として閲覧者である人物が含まれていることを検出する。画像処理部３４における閲覧者を検出する処理のアルゴリズムに、人物を検出する手法、人物の特徴を抽出する手法などの一般的な手法を適宜用いてもよい。なお、画像処理部３４は、サイネージ端末１０の方に、又は、撮像装置２０の方に顔を向けている人物を閲覧者として抽出してもよい。
【００３４】
識別処理部３５は、画像処理部３４により生成された情報に基づいて、閲覧者の属性情報を生成して、記憶部３２に書き込む。例えば、識別処理部３５は、閲覧者の存在、閲覧者の特徴を検出して、その結果を、閲覧者の属性情報として記憶部３２に書き込む。例えば、閲覧者の特徴とは、閲覧者の年齢・性別・服装などを、画像から読み取って、この画像処理の結果から、閲覧者の属性（年齢・性別・服装から趣向）を推定し、これを解析結果とする。
【００３５】
例えば、制服のある事業場の従業員は、制服を着用している。これに対し、来客は、一般的にスーツ等を着用している。識別処理部３５は、制服等の着用品の特徴、スーツとの相違点等を判断の基準にして、服装について判断することにより、従業員と来客を識別することができる。
【００３６】
サーバ装置４０は、通信部４１と、記憶部４２と、制御部４３とを備える。
【００３７】
通信部４１は、ネットワークに接続され、制御部４３の制御によりサイネージ端末１０と位置検出装置３０と通信する。
【００３８】
記憶部４２は、利用者ＤＢ４２１、コンテンツＤＢ４２２、配信情報ＤＢ４２３、組織間情報ＤＢ４２４等を格納する。利用者ＤＢ４２１、コンテンツＤＢ４２２、配信情報ＤＢ４２３、組織間情報ＤＢ４２４の詳細については、後述する。記憶部４２は、上記の各種情報の他、配信したコンテンツ等の履歴情報、制御部４３を機能させるためのプログラム等を格納する。
【００３９】
制御部４３は、通信部４１を制御してサイネージ端末１０と位置検出装置３０と通信する。制御部４３は、共有するための情報を、サイネージ端末１０の表示部に表示するように制御する。制御部４３は、位置検出装置３０から得た情報に基づいて、サイネージ端末１０に表示する情報を調整する。その詳細については後述する。
【００４０】
上記のように構成されるサイネージシステム１の各装置は、例えば、下記のように配置される。
【００４１】
図１に示すようサイネージ端末１０のそれぞれは、１又は複数の人がそれぞれ視認可能な位置に配置される。例えば、施設の通路、講堂、会議室、競技場などに設けられた比較的サイズが大きな表示部を含むものである。
【００４２】
撮像装置２０は、サイネージ端末１０の比較的近傍に配置される。少なくとも、サイネージ端末１０が表示する情報を視認可能な位置を撮像範囲に含むように、撮像装置２０が配置される。
【００４３】
位置検出装置３０とサーバ装置４０は、ネットワークに接続されていればよく、配置する位置に制限されることはなく、任意の位置に配置してよい。
【００４４】
なお、撮像装置２０は、対応するサイネージ端末１０の比較的近傍に設けられている。例えば、撮像装置２０は、その光軸を、サイネージ端末１０の表示部の法線方向と同じ方向に向けて、サイネージ端末１０の上部等に配置される。
【００４５】
次に、記憶部４２に格納する情報の一例について説明する。
図３は、実施形態の利用者ＤＢ４２１の一例を説明するための図である。利用者ＤＢ４２１は、利用者を識別するための利用者ＩＤと、利用者が所属する組織（所属組織）等の項目を含む。例えば、利用者ＩＤがＵ１とＵ２の人は組織Ａに所属し、利用者ＩＤがＵ３の人は組織Ｂに所属し、利用者ＩＤがＵ１１、Ｕ１２，Ｕ２１の人は、それぞれ組織Ｘ，Ｙ，Ｙに所属する。Ａ，Ｂ，・・・Ｘ，Ｙなどで識別される組織に所属する利用者の他、上記の組織に所属することなく、暫定的に利用者とみなす人には、「ＧＵＥＳＴ」の識別情報を付与して、仮想の組織Ｚに所属するものとして扱ってもよい。
【００４６】
図４は、実施形態のコンテンツＤＢ４２２の一例を説明するための図である。コンテンツＤＢ４２２は、投稿されたコンテンツを識別するコンテンツＩＤと、投稿情報の提供者、投稿情報の配信先、投稿情報の配信を希望する期間、投稿情報の目的、配信情報等の項目を含む。
例えば、コンテンツＩＤがＣ００１１で識別される情報は、利用者ＩＤがＵ１１の人から投稿され、配信先を組織Ａとするものであり、配信を希望する期間と目的が設定されている。なお、上記のコンテンツＤＢ４２２の一例では、その形式をリスト形式で示ししているが、形式はこれに制限されることなく、配信情報としてのコンテンツと、配信情報に付与されるラベルとしてコンテンツごとに格納されていてもよい。
なお、上記の目的として、情報を「周知」するもの、近況を報告（「近況報告」）するもの、などが含まれていてもよい。
【００４７】
図５は、実施形態の配信情報ＤＢ４２３の一例を説明するための図である。
配信情報ＤＢ４２３は、所定の期間（例えば、〇〇から△△まで）に配することが決定されたコンテンツと、そのコンテンツの提供に割り付けられた時間等の項目を含む。
例えば、図５（ａ）に示す一例では、Ｃ００１１からＣ００１３のコンテンツＩＤで識別される３つのファイルの情報を、コンテンツとして配信することが決定され、それぞれを提供する時間がｔ１、ｔ２、ｔ３に決定されていることを示す。なお、コンテンツを配信する順序は、この配信情報ＤＢ４２３に格納された順にしてもよい。上記に従い配信されている状況で、Ｃ００２１を追加して配信する場合を図５（ｂ）に示す。
【００４８】
図６は、実施形態の組織間情報ＤＢ４２４の一例を説明するための図である。
組織間情報ＤＢ４２４は、提供側組織と配信側組織の関係を示す。例えば組織間の関係を、それぞれの組織同士の関連性の程度を示す指標を用いて決定し、この組織間情報ＤＢ４２４に定義する。
【００４９】
例えば、サーバ装置４０は、組織間情報ＤＢ４２４を利用して、下記のような情報の配信条件を規定してもよい。
・組織Ｂは、組織Ａから組織Ｙの全組織に対して情報を発信する。
・組織Ａには、組織Ａと組織Ｂと組織Ｃから提供される情報を配信するが、組織Ａと組織Ｂと組織Ｃを除く他の組織からの情報を配信しない。
・組織Ｚには、情報の配信を原則禁止とする。なお、情報の秘匿性についてランク付けして、比較的秘匿性の低い所定のランクの情報については、その配信を許可するようにしてもよい。
【００５０】
図７は、実施形態のサーバ装置が配信するコンテンツを追加する処理の手順を示すフローチャートである。
【００５１】
まず、制御部４３は、位置検出装置３０から取得した閲覧者の情報に基づいて、その閲覧者の属性情報に基づいて、対象の閲覧者を特定し（Ｓ１０）、利用者ＤＢ４２１を利用して、特定した閲覧者の組織を特定する（Ｓ１５）。例えば、制御部４３は、記憶部４２の利用者ＤＢ４２１を参照して、上記の属性情報に対応する組織を抽出する。なお、この過程で、制御部４３は、対象と判定できない閲覧者が被写体に含まれていても、抽出できた範囲でその組織を特定してもよい。
【００５２】
次に、制御部４３は、Ｓ１５の抽出結果に基づいて、閲覧者が関係する組織の数を判定する（Ｓ２０）。なお、組織の数が「０」の場合、この図に示される一連の処理を終える。
【００５３】
一方で、組織の数が「単数」の場合、制御部４３は、閲覧者の属性情報に基づいて選択条件を決定し（Ｓ３０）、その選択条件に基づいて配信するコンテンツを選択する（Ｓ３５）。例えば、制御部４３は、当該組織に対して提供されている情報をコンテンツとして選択する。その際に、制御部４３は、閲覧者の性別、体格、顔の特徴などの個人を特定し得る属性情報に基づいて、選択するコンテンツの優先度を決定してもよい。制御部４３は、決定した優先度に従い、コンテンツを選択してもよく、或いは、配信する順序を決定してもよく、配信する時間を調整してもよい。制御部４３は、上記の処理を終えて、Ｓ５０に処理を進める。
【００５４】
一方で、組織の数が「複数」の場合、制御部４３は、複数の閲覧者の属性情報に基づいて選択条件を決定し（Ｓ４０）、その選択条件に基づいて配信するコンテンツを選択する（Ｓ４５）。例えば、制御部４３は、閲覧者が所属する組織に対して提供されている情報をコンテンツとして選択する。その際に、制御部４３は、閲覧者の性別、体格、顔の特徴などの個人を特定し得る属性情報と、組織間情報ＤＢ４２４の情報等の情報の一部又は全部に基づいて、選択するコンテンツの制限条件や優先度を決定してもよい。制御部４３は、決定した制限条件や優先度に従い、コンテンツを選択してもよく、或いは、配信する順序を決定してもよく、配信する時間を調整してもよい。
【００５５】
次に、制御部４３は、上記の処理により選択されたコンテンツを、配信するコンテンツに追加して（Ｓ５０）、この図に示される一連の処理を終える。
【００５６】
上記のように選択されたコンテンツをサーバ装置４０は、サイネージ端末１０に配信する。なお、サーバ装置４０は、コンテンツの配信を、サーバ装置４０主導（ＰＵＳＨ型）で実施してもよく、或いは、サイネージ端末１０主導（ＰＵＬＬ型）で実施してもよい。
【００５７】
次に、サーバ装置４０が複数の閲覧者の属性情報に基づいて配信対象のコンテンツを決定する選択条件について説明する。
上記の選択条件を、例えば、下記の場合から選択することができる。
【００５８】
・複数の組織に共通性のある情報を選択する場合。
この場合、サーバ装置４０は、対象の閲覧者の組織間に共通する情報を、配信対象のコンテンツとして抽出する。換言すれば、サーバ装置４０は、閲覧者の組織間に共通しない情報については、それを抽出しないものとする。
【００５９】
・いずれかの組織等を基準にして、当該組織に対する情報の開示を制限する場合。
この場合、サーバ装置４０は、対象の閲覧者の組織のうちの何れかの組織等に対しては、配信を制限すべき情報を配信対象のコンテンツから除いて、配信対象のコンテンツを抽出する。
【００６０】
例えば、ＡからＹの各組織とは異なる組織に所属するゲスト（ＧＵＥＳＴ）は、組織Ｚに所属するものとみなされる。このゲストは、ＡからＹの各組織以外の会社等に所属するものとしてもよい。組織Ａに所属する閲覧者とこのゲストとが打合せをしている際に、組織Ａの社内情報、部署内情報等を、サイネージ端末１０に表示すべきではない。このような場合に、サーバ装置４０は、上記を適用することにより、組織Ｚに所属する人が情報の提供対象者に含まれる場合は、サイネージ端末１０に表示する情報を制限するとよい。
【００６１】
・それぞれの組織に関連する情報の内から統計的に決定される情報を選択する場合。
この場合、対象の閲覧者の組織、配信の目的、配信する情報の重要性などを変数にした統計的な処理により、選択対象のコンテンツの優先度を付与する。このような場合に、サーバ装置４０は、上記の優先度に基づいて、配信対象のコンテンツを抽出するとよい。
【００６２】
以下、幾つかの適用例について説明する。
【００６３】
［シナリオ１］
まず、サイネージ端末１０に表示されているコンテンツを、互いに異なる組織に所属する閲覧者に対し、共通する情報を提供する場合について説明する。
【００６４】
例えば、組織Ａと組織Ｃは、業務の関係が深い部署である場合は、各組織が保有する情報を共有することに制限が無いものとする。
一方で、組織Ｂと組織Ｃは、業務の関係が無く、趣味趣向などについても共通性が無いなどの場合には、情報の伝達方向が制限されるものとする。ここでは、組織Ｂから組織Ｃには、共有すべき情報が配信されるものとする。
上記の条件を、組織間情報ＤＢ４２４に登録しておくことにより、サーバ装置４０は、情報の配信に関する制限条件に基づいて配すべきコンテンツを抽出するとよい。
【００６５】
［シナリオ２］
次に、サイネージ端末１０に表示されているコンテンツを、同じ組織に所属する複数の閲覧者に対し、共通する情報を提供する場合について説明する。
【００６６】
この場合、サーバ装置４０は、特定の組織に所属する一人の閲覧者に対してコンテンツを提供する手法と同様の手法で実施するとよい。
【００６７】
［シナリオ３］
次に、サイネージ端末１０に表示するコンテンツを所定の条件で制限して、他の組織に所属する閲覧者に対して、その情報を提供する場合について説明する。
【００６８】
この場合、サーバ装置４０は、例えば、組織間情報ＤＢ４２４に、コンテンツの秘匿性を示す情報（ランク）を登録する。サーバ装置４０は、コンテンツの抽出条件に対応するランクを指定して、配信対象の候補のコンテンツを抽出する。仮に、配信対象の候補のコンテンツが存在しても、秘匿性の高いコンテンツについては、その配信が制限される。
このように、サーバ装置４０は、コンテンツの秘匿性が満足されるように、組織間情報ＤＢ４２４を利用して、配信先の組織ごとにコンテンツを抽出して、配信するとよい。
【００６９】
以上に示した処理により、サーバ装置４０は、配信するコンテンツを追加する処理を実施する。
【００７０】
上記の実施形態によれば、サイネージシステム１のサイネージ端末１０は、表示した情報を１又は複数の人が視認することにより、当該情報を共有するように配置される。サイネージシステム１は、サーバ装置４０が指定するコンテンツをサイネージ端末１０に表示する情報に追加する。このようなサイネージシステム１において、位置検出装置３０（対象者特定部）は、少なくとも１つのサイネージ端末１０を閲覧可能な範囲内に位置する対象者であって、情報の配信先である対象者を特定する。サーバ装置４０（制御部）は、位置検出装置３０によって特定された対象者の属性情報と、属性情報に基づいて決定されるコンテンツ選択条件とに基づいて、特定された対象者に関連するコンテンツを選択し、サイネージ端末１０に表示する情報に、選択したコンテンツを追加する。これにより、サイネージシステム１は、端末装置等を携行していない閲覧者に対して、適した情報を提供することができる。
【００７１】
また、サーバ装置４０は、対象者が複数であれば、複数の対象者それぞれの属性情報に基づいてコンテンツ選択条件を決定し、特定された対象者に関連するコンテンツを、特定された対象者の属性情報と上記の決定したコンテンツ選択条件とに基づいて選択する。これにより、サイネージシステム１は、対象者が複数であっても、複数の対象者それぞれの属性情報に基づいてコンテンツ選択条件を決定することで、そのコンテンツ選択条件に基づいてコンテンツを選択することができることから、対象者である複数の閲覧者に適した情報を提供することができる。
【００７２】
また、複数の対象者のそれぞれが、その属性情報により識別可能な組織であって、互いに異なる組織に所属している場合には、サーバ装置４０は、複数の対象者それぞれの属性情報と、複数の対象者がそれぞれ所属する組織間の関連性を示す情報とに基づいてコンテンツ選択条件を決定する。サーバ装置４０は、特定された対象者に関連するコンテンツを、特定された対象者の属性情報と上記の決定したコンテンツ選択条件とに基づいて選択する。なお、部署間近接度は、複数の対象者がそれぞれ所属する組織間の関連性を示す情報の一例である。このように、対象者である閲覧者が複数である場合であっても、対象者に適した情報を提供することができる。
【００７３】
また、コンテンツには、コンテンツに対応するラベル情報が付与されていてもよい。そのラベル情報には、コンテンツの登録者に関する情報と、コンテンツの提供先に関する情報とが含まれていてもよい。この場合、サーバ装置４０は、コンテンツに対応するラベル情報にもとづいて、所望のコンテンツを選択することができる。
【００７４】
なお、実施形態のサイネージシステムは、ＧＰＳ対応の端末装置を閲覧者が携行することを必要とすることなく、閲覧者の位置を検出することができる。
【００７５】
（第２の実施形態）
第２の実施形態について説明する。第１の実施形態において、コンテンツに対応するラベル情報等を利用して、所望のコンテンツをサイネージ端末１０から配信する事例について説明した。第２の実施形態では、さらに、投稿者Ｓが保有しているコンテンツを、共有するためのコンテンツとして格納する場合について説明する。
【００７６】
図８は、実施形態における投稿原稿の保存要求に対してサーバ装置４０が実施するデータの格納処理の流れを示すフローチャートである。図９は、実施形態の投稿原稿の保存要求に対してサーバ装置４０が実施する処理を説明するための図である。図９（ａ）から（ｄ）に示す図は、端末装置５０（図１）に表示された画面の例である。例えば、制御部４３は、共有するためのコンテンツの投稿原稿を受け付ける処理として、Ｓ３５（図７）とＳ４５(図７)のメニューの選択結果に基づき以下の処理をしてもよい。
【００７７】
まず、制御部４３は、投稿原稿の入力画面を画像３６０（例えば、図９（ａ））として示すように、又は、その投稿の目的などを確認するための画面を画像３７０（例えば、図９（ｂ））として示すように、それぞれの画像のデータを端末装置５０に配信する（ＳＢ４１）。
【００７８】
次に、制御部４３は、端末装置５０から、投稿者Ｓが指定した投稿原稿のデータとその目的情報等を取得して（ＳＢ４２）、投稿原稿のデータに付与するラベル情報を生成する（ＳＢ４３）。
【００７９】
次に、制御部４３は、例えば、図９（ｃ）の画像３８０に示す画面として、投稿原稿のデータの配信先・配信期間を指定するための画面を生成して端末装置５０に配信する。制御部４３は、配信先・配信期間の選択の結果を端末装置３０から取得する（ＳＢ４４）。
【００８０】
次に、制御部４３は、配信用コンテンツを確認するための画面を画像３９０（例えば、図９（ｄ））として端末装置５０に表示させる（ＳＢ４５）。
【００８１】
次に、制御部４３は、端末装置５０からの応答を受け取ると配信用コンテンツを記憶部４２に格納し（ＳＢ４６）、この図に示される一連の処理を終える。
【００８２】
以上に示した処理により、サーバ装置４０は、投稿者Ｓの投稿原稿の格納要求に関する処理を実施する。
【００８３】
上記の実施形態によれば、第１の実施形態と同様の効果を奏することの他、ラベル情報に、コンテンツの提供の目的を示す情報が含めることで、提供の目的を示す情報に基づいて所望のコンテンツを選択することが可能になる。例えば、提供の目的を示す情報には、周知、状況報告、重要度、発信部門、お勧め情報等の情報が含まれていてもよい。サーバ装置４０は、サイネージ端末１０にコンテンツを表示する時間比率（頻度、回数等）を、上記のラベル情報に基づいて決定してもよい。これにより、サーバ装置４０は、その利便性を高めることができる。
【００８４】
なお、サイネージシステム１を実現するためのプログラムをコンピュータ読み取り可能な記録媒体に記録して、この記録媒体に記録されたプログラムをコンピュータシステムに読み込ませ、実行することによりサーバ装置４０が指定する対象のコンテンツに、共有情報を追加するなどの処理動作を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、ネットワークや通信回線のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００８７】
なお、サイネージシステム１は、下記のようなセキュリティ対策に関する処理を実施してもよい。例えば、サーバ装置４０は、サイネージ端末１０に対して、一定時間で切り替わるワンタイムパスワードとして利用できるパスコード（パスワード）を送る。サイネージ端末１０は、表示する画像の一部に、受信したパスコードを表示する。位置検出装置３０は、投稿者が利用する端末装置に対する閲覧者の操作により、或いは、同端末装置の撮像部により撮像した画像からそのパスコードを取得して、サーバ装置４０にアクセスする際にパスワードコードを利用する。サーバ装置４０は、そのパスコードに関連付けられた位置検出装置３０からの通信要求を取得し、取得したパスワードコードを所定の条件に従い照合することで、通信を開始する位置検出装置３０を制限してもよい。
【００８８】
なお、上記の実施形態において、位置検出装置３０は、サイネージ端末１０を閲覧可能な範囲内に位置する対象者の特定を、撮像装置２０により撮影した画像に基づき実施する事例について例示したが、これに制限されることなく他の検出手段を利用することに制限はない。
【００８９】
例えば、撮像装置２０に代えて、無線通信機２０Ａを利用してもよい。無線通信機２０Ａは、閲覧者が携行する端末装置からの電波を受信するものである。サーバ装置４０は、無線通信機２０Ａによって受信された電波に基づいて、端末装置に係る位置情報及び識別情報を検出することにより、サイネージ端末１０に接近した対象者を検出することができる。なお、閲覧者が携行する端末装置は、閲覧者がその端末装置を都度操作することなく、上記の電波を送信するものであってもよい。閲覧者が携行する端末装置は、上記の端末装置５０を兼ねてもよい。
【符号の説明】
【００９０】
１…サイネージシステム、２…建物、１０…サイネージ端末、１１…通信部、１２…記憶部、１３…制御部、１４…表示部、２０…撮像装置、３０…位置検出装置、３１…通信部、３２…記憶部、３３…制御部、３４…画像処理部、３５…識別処理部、４０…サーバ装置、４１…通信部、４２…記憶部、４３…制御部、５０…端末装置
【図１】
2018156195.tif 000003
【図２】
2018156195.tif 000004
【図３】
2018156195.tif 000005
【図４】
2018156195.tif 000006
【図５】
2018156195.tif 000007
【図６】
2018156195.tif 000008
【図７】
2018156195.tif 000009
【図８】
2018156195.tif 000010
【図９】
2018156195.tif 000011